(57)【要約】    【課題】手形等が記録された粘土等の変形状態維持部材の紛失が生じ難く、かつ該変形状態維持部材に記録された変形と関連付けられた情報を表示し得る装飾品を提供する。    【解決手段】容器本体２ａと蓋材２ｂとからなる容器２内に変形状態維持部材としての粘土５が収納されており、粘土５に、外力を加えて変形することにより手形６が記録されており、蓋材２ｂの外表面に手形６の持ち主である人物像７ａが表示された写真からなる絵柄シート７が表示されているアクセサリー３が固着されている、装飾品１。【選択図】図１
2009022649.tif 000002
【特許請求の範囲】
【請求項１】
開口を有する容器本体と、
前記容器本体の開口を閉成するように前記容器本体に着脱自在に取り付けられた蓋材と、
前記蓋材の外表面に固定されており、かつ外部から観察し得る絵柄シートが収納されているアクセサリーと、
前記容器本体内に収納されており、外力が加えられることにより変形し、変形状態が維持される変形状態維持部材とを備えることを特徴とする、装飾品。
【請求項２】
前記蓋材が金属からなり、前記アクセサリーが前記絵柄シートの裏面側に配置されており、
前記蓋材に固着されたマグネットをさらに備える、請求項１に記載の装飾品。
【請求項３】
前記蓋材の外表面に凹部が形成されており、該凹部内に前記アクセサリーが収納されている、請求項１または２に記載の装飾品。
【請求項４】
前記アクセサリーが、合成樹脂からなり、かつ上面に絵柄シートが収納される凹部が形成されているプレートと、前記プレートの下面に固着されたマグネットとを備える、請求項３に記載の装飾品。
【請求項５】
前記アクセサリーが、外周縁に立ち上がった側壁を有する底部材と、
前記底部材の側壁を抱くように被せられ、かつかしめつけられている外周壁を有する蓋部材と、
前記蓋部材の表面側の少なくとも一部に領域に配置された絵柄シートとを備える、請求項１〜３のいずれか１項に記載の装飾品。
【請求項６】
前記絵柄シートの表面を覆うように設けられており、かつ透明な合成樹脂からなるカバーフィルムからなるカバーフィルムをさらに備える、請求項１〜５のいずれか１項に記載の装飾品。
【請求項７】
前記変形状態維持部材が、粘土である、請求項１〜６のいずれか１項に記載の装飾品。
【請求項８】
前記変形状態維持部材に外力を加えることにより形成された形状に対し、関連付けられた情報が前記絵柄シートに表されている、請求項１〜７のいずれか１項に記載の装飾品。
【請求項９】
開口を有する容器本体と、
前記容器本体の開口を閉栓するように前記容器本体に着脱自在に取り付けられる蓋材と、
前記蓋材の外表面に固定されており、かつ外部から観察し得る写真が収納されている表示部材と、
前記容器本体内に収納されており、外力を加えることにより前記写真に表された情報に関連付けられた形状が付与され、該形状を維持し得る粘土とを備えることを特徴とする、装飾品。
【請求項１０】
前記写真に表されている情報が人物であり、前記粘土に表された形状が前記人物の手形もしくは足形である、請求項９に記載の装飾品。
【発明の詳細な説明】
【技術分野】
【０００１】
本発明は、容器本体に取り付けられた蓋材表面に写真や絵などの絵柄シートが収納されたアクセサリーが取り付けられている装飾品に関する。
【背景技術】
【０００２】
子供やペットの写真を保存するために、アルバムや磁気ディスクなどが用いられている。また、室内等において写真を飾るために、写真が収められた額やスタンドが広く用いられている。
【０００３】
他方、子供やペットの写真を収納してなり、背面に安全ピンを取り付けてなるバッジや背面にマグネットが固着してなるアクセサリーが提案されている。例えば、下記の特許文献１には、写真が収納され得るバッジの一例が開示されている。
【０００４】
特許文献１に記載のバッジは、紙巻きバッジと称されているものである。この紙巻きバッジは、衣類やバッグなどにピンを利用して取り付けられる。この種のバッジは、金属盤を皿状に加工してなる底部材と、底部材に被せられる蓋部材とを組み合わせることにより基本形状が構成されている。蓋部材の表面を覆うように模様台紙が取り付けられいる。この模様台紙として、写真を用いることができる。そして、写真などの模様台紙は、通常、紙からなるため、模様台紙を保護するために透明フィルムで模様台紙が被覆されている。
【０００５】
底部材の底面側には、衣類やバッグ等にバッジを取り付けるための安全ピンが取り付けられている。
【０００６】
特許文献１に記載のバッジの組立に際しては、底部材の側壁を蓋部材の外周壁で抱くように蓋部材の外周壁をかしめつける。かしめつけに先立ち、蓋部材状に上記模様台紙及び透明フィルムを予め被せておく。それによって、かしめつけに際し、底部材の側壁と、蓋部材の外周壁との間に、模様台紙及び透明フィルムの周辺部分が挟持される。よって、模様台紙及び透明フィルムが、蓋部材の表面に密着した状態で取り付けられ、バッジが完成される。
【０００７】
このようなバッジの組立は、特許文献１に開示されているアクセサリー製造装置により極めて容易にかつ簡単に行われ得る。
【特許文献１】特開昭５８−２１８９０６号公報
【発明の開示】
【発明が解決しようとする課題】
【０００８】
工場で量産されており、予め模様が表面に付与されているバッジとは異なり、特許文献１に記載のバッジでは、オリジナルの模様台紙を用意するだけで、好みの絵柄のバッジを簡単に得ることができる。従って、前述したように、模様台紙として、子供やペットの写真を用意するだけで、子供やペットが表されたバッジを得ることができ、この世に２つとない独創的なデザインが付与されたバッジを得ることができる。
【０００９】
上記のような写真を収納してなるプレート状のアクセサリーで、背面にマグネットを固定してなるアクセサリーも知られている。
【００１０】
他方、子供が誕生した際に、色紙に子供の手形を写しとったり、粘土に子供の手形の形状を記録することも試みられている。
【００１１】
特に、粘土や石膏に手形の形状を写しとった場合、立体的な意匠であるため、色紙に写し撮られた手形に比べてより興味深い印象を与えることができる。
【００１２】
しかしながら、粘土や石膏等により手形の形状を記録したとしても、当初はともかく、数年もしくは数十年経過後に紛失することも多い。また、そのような粘土等が存在していたとしても、誰の手形を表示した粘土であるかが不明になることもある。
【００１３】
本発明の目的は、上述した現状に鑑み、外力を加えることにより変形し、従って、変形された状態が維持される粘土等の変形状態維持部材と、該変形状態維持部材と関連付けるように写真や絵が表された絵柄シートが組み合わされており、上記変形状態維持部材の紛失が生じ難く、かつ該変形状態維持部材と上記絵柄シートや写真との関連が容易に把握され得る装飾品を提供することにある。
【課題を解決するための手段】
【００１４】
本発明によれば、開口を有する容器本体と、前記容器本体の開口を閉成するように前記容器本体に着脱自在に取り付けられた蓋材と、前記蓋材の外表面に固定されており、かつ外部から観察し得る絵柄シートが収納されているアクセサリーと、前記容器本体内に収納されており、外力が加えられることにより変形し、変形状態が維持される変形状態維持部材とを備えることを特徴とする、装飾品が提供される。
【００１５】
好ましくは、前記蓋材が金属からなり、前記アクセサリーが前記絵柄シートの裏面側に配置されており、前記蓋材に固着されたマグネットがさらに備えられる。この場合には、マグネットにより、該アクセサリーを金属からなる蓋材に容易に固着し、また、蓋材から容易に取り外すことができる。
【００１６】
好ましくは、前記蓋材の外表面に凹部が形成されており、該凹部内に前記アクセサリーが収納されている。この場合には、蓋材の外表面の凹部内にアクセサリーが収納されているため、蓋材の外表面からアクセサリーが突出し難く、アクセサリーの脱落が生じ難い。
【００１７】
また、好ましくは、前記アクセサリーが、合成樹脂からなり、かつ上面に絵柄シートが収納される凹部が形成されているプレートと、前記プレートの下面に固着されたマグネットとを備えている。この場合には、アクセサリーが合成樹脂からなるプレートを有し、該プレートの上面の凹部に絵柄シートが収納されているため、写真などの絵柄シートをアクセサリーに無理なく収めることができる。また、プレートの下面にマグネットを固着するだけでアクセサリーを容易に構成することができる。
【００１８】
本発明においては、アクセサリーは、前述した特許文献１に記載のバッジ等により形成されてもよい。すなわち、前記アクセサリーが、外周縁に立ち上がった側壁を有する底部材と、前記底部材の側壁を抱くように被せられ、かつかしめつけられている外周壁を有する蓋部材と、前記蓋部材の表面側の少なくとも一部に領域に配置された絵柄シートとを備えていてもよい。
【００１９】
本発明に係る装飾品では、好ましくは、上記写真などの絵柄シートの表面を覆うように透明な合成樹脂からなるカバーフィルムがさらに設けられ、それによって写真などの絵柄シートを保護することができる。
【００２０】
上記変形状態維持部材は、粘土などの様々な変形状態を維持し得る材料で構成することができる。変形状態維持部材が粘土からなる場合には、安価な粘土を用いて、装飾品を形成することができるので、コストを低減することができる。また、粘土の場合には、手指等により力を加えるだけで、容易に手形等の形状を記録することができる。
【００２１】
上記変形状態維持部材に外力を加えることにより形成された形状に対し、絵柄シートに関連付けられた情報が表されている場合には、すなわち、例えば絵柄シートとして用いられる写真に表示されている人物やペットと、該変形状態維持部材に記録されている形状が人物やペットの手形もしくは足形等である場合には、本発明に従って、変形状態維持部材に記録されている形状の持ち主を、絵柄シートに表示されている人物やペット等により特定することができる。
【００２２】
本発明の別の広い局面では、開口を有する容器本体と、前記容器本体の開口を閉栓するように前記容器本体に着脱自在に取り付けられる蓋材と、前記蓋材の外表面に固定されており、かつ外部から観察し得る写真が収納されている表示部材と、前記容器本体内に収納されており、外力を加えることにより前記写真に表された情報に関連付けられた形状が付与され、該形状を維持し得る粘土とを備えることを特徴とする、装飾品が提供される。この場合には、上記絵柄シートとして写真が用いられるため、写真に表示される人物やペット等に関連付けられた形状を変形状態維持部材において記録すれば、変形状態維持部材に記録された形状と写真に表された人物やペット等を関連付けることができる。
【発明の効果】
【００２３】
本発明に係る装飾品では、容器本体と蓋材とからなる容器内に上記変形状態維持部材が収納されているため、変形状態維持部材を確実に保管することができる。そして、変形状態維持部材には、外力を加えることにより変形状態が記録されることになる。従って、手形や足形等を記録することができる。
【００２４】
しかも、上記蓋材の外表面には、外部から観察し得る絵柄シートが収納されているので、上記変形状態維持部材に記録されている形状と関連付けられた写真などの絵柄シートを収納しておけば、容器の外部から観察され得る絵柄シートの内容により、内部に収納されている変形状態維持部材に記録されている形状の持ち主を特定することができる。
【００２５】
よって、上記手形等が記録された変形状態維持部材が容器に収納されているため、数年あるいは数十年経過後にも紛失し難く、しかも外部からその変形状態維持部材に記録されている形状の持ち主を容易に特定することができるので、上記記録された記録された変形状態の持ち主が不明となり難い。
【００２６】
加えて、上記容器の外表面に上記絵柄シートが表示されているアクセサリーが固定されているので、本発明の装飾品は、例えば、写真立等の装飾品としても用いることができる。
【発明を実施するための最良の形態】
【００２７】
以下、図面を参照しつつ、本発明の具体的な実施形態を説明することにより、本発明を明らかにする。
【００２８】
図１は、本発明の一実施形態に係る装飾品を示す斜視図であり、図２には、該装飾品の構成部材を示す分解斜視図である。
【００２９】
図１に示すように、本実施形態の装飾品１は、容器２と、容器２の外表面に固定されたアクセサリー３と、スタンド４とを有する。
【００３０】
容器２は、容器本体２ａと蓋材２ｂを有する。図２に示すように、容器本体２ａは、開口２ｃを有する。開口２ｃを閉成するように、蓋材２ｂが容器本体２ａに取り付けられる。この取り付け構造は特に限定されないが、本実施形態では、通常の缶と同様に開口を有する略円筒状の容器本体２ａに対し、蓋材２ｂは、天板と、天板の外周縁から垂下しておりかつ前記容器本体２ａに外挿される円筒側壁とを有する。
【００３１】
もっとも、容器本体２ａの平面形状は、円形に限らず、矩形、六角形等の他の形状でもよく、任意である。
【００３２】
また、容器本体２ａを構成する材料についても特に限定されない。容器本体２ａ及び蓋材２ｂは、金属等や適宜の合成樹脂により形成することができる。容器本体２ａを構成する材料と、蓋材２ｂの材料とは同一であってもよく、異なっていてもよい。
【００３３】
本実施形態では、後述するように、アクセサリー３がマグネットにより蓋材２ｂに固定される。従って、蓋材２ｂは、マグネットが取り付けられる鉄、塗装鋼板等の常磁性金属からなる。
【００３４】
図２に示すように、容器２内には、粘土５が収納されている。粘土５は、本発明の変形状態維持部材である。変形状態維持部材は、粘土５に代えて石膏等により形成されてもよい。すなわち、図２に示されているように、粘土５の上面には、手形６が表されている。この手形６は、粘土５に外力を加え、粘土５の上面を変形することにより形成されている。
【００３５】
本発明における変形状態維持部材とは、粘土５のように、外力より変形させた場合、その変形状態が維持されるものをいうものとし、この機能を発現し得る限り特に限定されるものではない。従って、粘土のほか、石膏等の型を写しとる適宜の材料により変形状態維持部材を形成することができる。
【００３６】
図１に示すように上記粘土５が収納された容器２が、スタンド４によって立てかけられるように形成されている。スタンド４は、一対の脚部４ａ，４ｂと、脚部４ａ，４ｂが突き合っている部分から上方に延びる支持部４ｃとを有する。脚部４ａ，４ｂの上面の一部に容器２を係止する係止凹部４ｄ，４ｅが形成されている。容器２は、係止凹部４ｄ，４ｅに係止され、かつ容器２の容器本体２ａの底面が上記支持部４ｄにより支持されており、それによって容器２が立てかけられている。
【００３７】
他方、蓋材２ｂの外表面には、アクセサリー３が固着されている。アクセサリー３を図３（ａ）により分解斜視図で、図３（ｂ）において正面断面図で示す。
【００３８】
アクセサリー３は、アクリル樹脂などの合成樹脂からなる円板状のプレート３ａを有する。プレート３ａの上面には、プレート３ａよりも小さな径の凹部３ｂが設けられている。凹部３ｂ内に、絵柄シート７としての写真が収納される。また、絵柄シート７を覆うようにカバーフィルム８が貼り合わされている。
【００３９】
絵柄シート７としては、写真の他、絵や模様が表されたシートであってもよい。
【００４０】
本実施形態では、絵柄シート７は写真であり、写真に表示されている人物像７ａの手形が前述した手形６が粘土５に記録されている。
【００４１】
上記カバーフィルム８は、適宜の透明な合成樹脂フィルムからなる。
【００４２】
プレート３ａの下面には、マグネット９が接着固定されている。図１に戻り、上記アクセサリー３は、マグネット９を有するため、該マグネット９の磁力を利用して、容器の蓋材２ｂの外表面に固定されている。この状態において、装飾品１を外部から観察した場合に、立てかけられた容器２の正面に、すなわち、蓋材２ｂの外表面に、アクセサリー３が存在する。従って、上記絵柄シート７に表されてた写真が表示された装飾品としてテーブル上あるいは棚に飾ることができる。
【００４３】
加えて、容器２内には、手形６が記録された粘土５が収納されている。従って、容器２の容器本体２ａから蓋材２ｂを取り外すと、絵柄シート７に表示された人物像７ａの手形が記録されている粘土５を見ることができる。
【００４４】
従って、装飾品１では、人物像７ａの手形６が記録された粘土５を容器２内に収納して保存することができる。よって、手形６が記録された粘土５が紛失し難い。また、容器２の外表面には、人物像７ａが表された絵柄シート７を有するアクセサリー３が固定されているので、上記粘土５に記録された手形６が人物像７ａによるものであることを把握することができる。従って、手形等の記録された変形状態が誰の手形であるかを容易に特定することができる。
【００４５】
なお、上記実施形態では、アクセサリー３のプレート３ａの一方面に凹部３ｂが設けられており、該凹部３ｂに絵柄シート７が収納されていたが、図４（ａ）に分解斜視図及び図４（ｂ）に正面断面図で示すように、いわゆる紙巻きバッジと同様の構造を有するものであってもよい。アクセサリー１１は、皿状の底部材１１ａと、底部材１１ａに周辺部でかしつけられる蓋材１１ｂと、蓋材１１ｂとともにかしつめられる絵柄シート１１ｃとを有する。アクセサリー１１は、前述した特許文献１に記載のバッジマシーンにより容易に製造することができる。なお、底部材１１ａの下面には、マグネット１２が固定されている。従って、アクセサリー１１は、前述したアクセサリー３と同様に、蓋材２ｂの外表面に固着することができる。
【００４６】
もっとも、アクセサリー３の蓋材の外表面への固着は、マグネットを用いた方法に限らず、接着剤等を用いて永久に固着してもよい。
【００４７】
さらに、図５に示すように、蓋材２ｂの外表面中央に凹部２ｄを設け、該凹部２ｄ内にアクセサリー３を収納する構造としてもよい。この場合には、凹部２ｄの深さをアクセサリー３の厚みよりも深くすることにより、アクセサリー３の蓋材２ｂの外表面からの突出を避けることができる。
【図面の簡単な説明】
【００４８】
【図１】本発明の一実施形態に係る装飾品の斜視図である。
【図２】図１に示した実施形態の装飾品の分解斜視図である。
【図３】（ａ），（ｂ）は、図１に示した実施形態で用いられているアクセサリー３の分解斜視図及び正面断面図である。
【図４】本発明に装飾品に用いられるアクセサリーの変形例を示し、（ａ）は分解斜視図、（ｂ）は、正面断面図である。
【図５】本発明の変形例に係る装飾品の分解斜視図である。
【符号の説明】
【００４９】
１…装飾品
２…容器
２ａ…容器本体
２ｂ…蓋材
２ｃ…開口
２ｄ…凹部
３…アクセサリー
３ａ…プレート
３ｂ…凹部
４…スタンド
４ａ，４ｂ…脚部
４ｃ…支持部
４ｄ，４ｅ…係止凹部
５…粘土
６…手形
７…絵柄シート
７ａ…人物像
８…カバーフィルム
９…マグネット
１１…アクセサリー
１１ａ…底部材
１１ｂ…蓋部材
１１ｃ…絵柄シート
１２…マグネット
【図１】
2009022649.tif 000003
【図２】
2009022649.tif 000004
【図３】
2009022649.tif 000005
【図４】
2009022649.tif 000006
【図５】
2009022649.tif 000007